【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
磁界生成手段を着脱可能に固定する固定手段を備え、被験者の頭部を覆い被験者固有の頭部形状と噛み合って固定される頭部固定具であって、
上記固定手段に磁界生成手段を固定することにより、
被験者の頭部に対する上記磁界生成手段の相対位置が一定に保持され、
上記頭部固定具が、
上記固定手段を備えた本体部と、
上記本体部と被験者頭部との間に配置されたシェル部と、
上記本体部に上記シェル部を固定する固定具とを含み、
上記シェル部が、被験者固有の頭部形状と噛み合うように成形されたことを特徴とする経頭蓋磁気刺激治療用頭部固定具。
【請求項２】
上記シェル部が、熱可塑性樹脂のシートであって、被験者固有の頭部形状と噛み合うように変形させたシートからなることを特徴とする請求項１に記載の経頭蓋磁気刺激治療用頭部固定具。
【請求項３】
上記熱可塑性樹脂のシートがメッシュ状であることを特徴とする請求項２に記載の経頭蓋磁気刺激治療用頭部固定具。
【請求項４】
上記頭部固定具が、
被験者頭部を覆って配置される本体部を含み、
上記本体部が、被験者固有の頭部形状と噛み合うように成形されたことを特徴とする請求項１に記載の経頭蓋磁気刺激治療用頭部固定具。
【請求項５】
上記被験者固有の頭部形状が、被験者の鼻根形状又は耳形状であることを特徴とする請求項１〜４のいずれかに記載の経頭蓋磁気刺激治療用頭部固定具。
【請求項６】
上記固定手段が、多角形の断面を有する突起部からなり、上記磁界生成手段に設けられた凹部が上記突起部と嵌合して上記固定手段を上記頭部固定具に固定することを特徴とする請求項１〜５のいずれかに記載の経頭蓋磁気刺激治療用頭部固定具。
【請求項７】
請求項１〜６のいずれかに記載の経頭蓋磁気刺激治療用頭部固定具と、
上記頭部固定具に着脱可能に固定される、コイルを含む磁界生成手段と、
上記磁界生成手段のコイルに電流を流して磁界を誘導する磁気刺激制御装置とを含むことを特徴とする経頭蓋磁気刺激装置。
【請求項８】
患者頭部に対し、頭部外にある磁界生成手段を用いて磁気刺激を加えるための経頭蓋磁気刺激装置であって、前記患者頭部に対して前記磁界生成手段の相対的位置を把握するためのナビゲーション手段と、治療に先立って撮影された該頭部の画像情報と、前記ナビゲーション手段の出力情報とに基づいて当該患者の大脳皮質に対する前記磁界生成手段の位盾をリアルタイムで算出して表示する表示手段と、前記患者頭部に対する相対的位置を変更可能に構成された前記磁界生成手段と、前記磁界生成手段が生成する磁界の方向と前記患者頭部へ磁気刺激を加えるターゲットスポットの向きが一定の関係となるように前記磁界生成手段を着脱可能にする固定手段を備える請求項１〜６のいずれかに記載の頭部固定具とを備えたことを特徴とする経頭蓋磁気刺激装置。
【請求項９】
前記頭部の画像情報が、ＭＲＩ撮影画像情報であることを特徴とする、請求項８に記載の経頭蓋磁気刺激装置。
【請求項１０】
前記ナビゲーション手段が、前記頭部の画像情報に含まれるマーカーの位置情報と、前記固定手段に設けられた光学的マーカーを撮影することによって得られた位置情報と、前記磁界生成手段に付随させた光学的マーカーを撮影することによって得られた位置情報と、に基づいて前記相対的位置を把握することが可能なように構成されたことを特徴とする、請求項８または９に記載の経頭蓋磁気刺激装置。
【請求項１１】
患者頭部に対し、頭部外にある磁界生成手段から治療用の磁気刺激を加える経頭蓋磁気刺激治療に用いる、前記患者頭部に対して前記磁界生成手段を決められた相対的位置に固定する請求項１〜６のいずれかに記載の頭部固定具製造における情報生成装置であって、前記患者頭部に対して前記磁界生成手段の相対的位置を把握するためのナビゲーション手段と、治療に先立って撮影された該頭部の画像情報と、前記ナビゲーション手段の出力情報とに基づいて当該患者の大脳皮質に対する前記磁界生成手段の位置をリアルタイムで算出して表示する表示手段と、前記磁界生成手段の位置操作に応じて、前記磁界生成手段の前記患者頭部に対する相対位置を決定し、前記頭部固定具製造のための情報を生成する手段を備えたことを特徴とする情報生成装置。
【請求項１２】
前記頭部の画像情報が、ＭＲＩ撮影画像情報であることを特徴とする、請求項１１に記載の情報生成装置。
【請求項１３】
前記ナビゲーション手段が、前記患者頭部の画像情報に含まれるマーカーの位置情報と、前記固定手段に設けられた光学的マーカーを撮影することによって得られた位置情報と、前記磁界生成手段に付随させた光学的マーカーを撮影することによって得られた位置情報と、に基づいて前記相対的位置を把握することが可能なように構成されたことを特徴とする、請求項１１または１２に記載の情報生成装置。
【請求項１４】
治療用磁界生成手段を頭部に固定するための頭部固定具であって、
被験者頭部の画像を撮影する手段と、
上記画像の座標系と、前記磁界生成手段の位置・方向を把握する所定の位置把握手段の構築する座標系との関係を調整して、上記画像に対して、移動自在の磁界生成手段の位置及び方向データを重ねる手段と、
移動自在の磁界生成手段の位置及び方向データが重ねられた上記画像において、特定の時点での磁界生成手段の位置及び方向データを固定し、
前記固定された上記画像情報に含まれる被験者頭部の形状を表す第１の座標データと、前記固定された上記磁界生成手段の位置及び方向を表す第２の座標データとに基づいて、被験者頭部の形状と磁界生成手段の相対位置を、当該固定具の着脱を繰り返しても常時一定のものとする、位置一定化手段と、を備えたことを特徴とする頭部固定具。
【手続補正２】
【補正対象書類名】明細書
【補正対象項目名】発明の名称
【補正方法】変更
【補正の内容】
【発明の名称】経頭蓋磁気刺激用頭部固定具、経頭蓋磁気刺激装置及び情報生成装置
【手続補正３】
【補正対象書類名】明細書
【補正対象項目名】００１１
【補正方法】変更
【補正の内容】
【００１１】
本発明は、上記の目的を達成するためになされたものである。本発明に係る経頭蓋磁気刺激治療用の頭部固定具（例えば、ヘルメット等）は、
磁界生成手段を着脱可能に固定する固定手段を備え、被験者の頭部を覆い被験者固有の頭部形状と噛み合って固定される頭部固定具であって、
上記固定手段に磁界生成手段を固定することにより、
被験者の頭部に対する上記磁界生成手段の相対位置が一定に保持され、
上記頭部固定具が、
上記固定手段を備えた本体部と、
上記本体部と被験者頭部との間に配置されたシェル部と、
上記本体部に上記シェル部を固定する固定具とを含み、
上記シェル部が、被験者固有の頭部形状と噛み合うように成形されたことを特徴とするものである。
【手続補正４】
【補正対象書類名】明細書
【補正対象項目名】００１２
【補正方法】変更
【補正の内容】
【００１２】
また、本発明に係る頭部固定具は、
治療用磁界生成手段を頭部に固定するための頭部固定具であって、
被験者頭部の画像を撮影する手段と、
上記画像の座標系と、前記磁界生成手段の位置・方向を把握する所定の位置把握手段の構築する座標系との関係を調整して、上記画像に対して、移動自在の磁界生成手段の位置及び方向データを重ねる手段と、
移動自在の磁界生成手段の位置及び方向データが重ねられた上記画像において、特定の時点での磁界生成手段の位置及び方向データを固定し、
前記固定された上記画像情報に含まれる被験者頭部の形状を表す第１の座標データと、前記固定された上記磁界生成手段の位置及び方向を表す第２の座標データとに基づいて、被験者頭部の形状と磁界生成手段の相対位置を、当該固定具の着脱を繰り返しても常時一定のものとする、位置一定化手段と、を備えたことを特徴とするものである。